(57)【特許請求の範囲】
【請求項１】
スイッチを有すると共に表面を露出させた金属ヘッドが取り付けられたケーシング，該ケーシング内に配置された基板，該基板に設けられた超音波を発生させる発振回路，前記基板に設けられた遠赤外線を発生させる制御回路，前記発振回路と前記制御回路とを前記スイッチの断接によって付勢するスイッチ回路，前記スイッチの断接に応じて前記スイッチ回路を通じて前記発振回路と前記制御回路に電流を流すための電源部，及び前記電源部からの前記電流を前記スイッチの断接によって前記スイッチ回路を通じて前記発振回路で発生する前記超音波と前記制御回路で発生する前記遠赤外線を制御するコントローラ，から成る超音波及び遠赤外線を用いた美容器において、
前記金属ヘッドには，前記発振回路からの電気信号によって前記超音波を発生させるトランスデューサーと熱伝達体が取り付けられ，前記熱伝達体には前記制御回路からの電気信号によって発熱する発熱素子と該発熱素子への電流を断接するため温度上昇に応じて抵抗が増大して前記発熱素子への前記電流を自己遮断制御するサーミスタとが取り付けられ、さらに前記熱伝達体は，前記金属ヘッド側の中央部を凹部に形成した環状部を備え，前記環状部が前記金属ヘッドの裏面の外周部に固着され，前記凹部に対応した領域で、前記環状部から隔てた位置に前記トランスデューサーが固着されていることを特徴とする超音波及び遠赤外線を用いた美容器。
【発明の詳細な説明】
【０００１】
【発明の属する技術分野】
この発明は，身体に対する美容のために適正な超音波及び遠赤外線を発生させることができる超音波及び遠赤外線を用いた美容器に関する。
【０００２】
【従来の技術】
従来，顔部，肩部，腰部，手足部，腹部等の身体に対する美容のための美容器は，種々のタイプが知られている。超音波を用いる美容器としては，例えば，金属ヘッドを通じて超音波を発生させるため，金属ヘッドの裏面に電気信号を機械振動に変換させるトランスデューサとしてのセラミック振動子を固着した構造が必要になる。また，遠赤外線を用いる美容器としては，例えば，金属ヘッドを通じて遠赤外線を発生させるため，金属ヘッドの裏面に発熱体を取り付けた構造が必要になる。
【０００３】
従来，発熱シートとして，例えば，特開平１１−２９９８１７号公報や特開平１１−２９９８１８号公報に開示されたものが知られている。該公報に開示された美顔用発熱シートは，顔面との適度の粘着性を有し，顔面に貼着することによって，顔面に密着して密封効果と発熱シートによる温熱効果の相乗作用によって顔面の汚れや老廃物が除去され，適用部位を清潔にしたり，美顔用化粧用材を効率良く吸収させ，皮膚を健やかにして美肌に保つと共に，粘着層に水分が含有されていると，その水分が加温されてモイスチャー効果が高まるものである。該発熱シートは，粘着性発熱シートが空気の存在によって発熱するシートと，その片面における全面或いは一部に積層された粘着層とを有し，通気性を有する偏平状包材とこの包材内に封入されたペースト状の発熱組成物とから構成されている。
【０００４】
また，特開平１１−１２３２２６号公報には，純チタン鋼を用いたエステティック用プローブが開示されている。該エステティック用プローブは，主材料として純チタンを用い，バイオウエーブプローブヘッドを使う事により，皮膚細胞内の表皮及び真皮層内にある結合織と呼ばれる部分の新陳代謝活性化を促し，全身の美顔，美肌，美白，抗アレルギー効果などの総合美容効果を促進しようとするものである。該エステティック用プローブは，プローブヘッドとセラミック振動子を組み立ててプローブ本体とし，リード線を介してサイン波振動を提供する事により，内蔵されたセラミック振動子が振動する。また，電気的出力によってセラミック振動子は１メガヘルツと２メガヘルツの二種類の超音波振動を発生させる。さらに，セラミック振動子の振動と電気的出力によって微熱が発生し，プローブヘッドへの熱源が求められ，プローブヘッド皮接面の温度を体温よりやや高い，心地良い温度に保つ。
【０００５】
また，発熱体として，特開２０００−２６０号公報に開示されたものが知られている。該発熱体は，偏平状包材における基材と被覆材のうちその一方或いは双方における発熱組成物との接触面側に通気層を積層し，当該通気層の周縁側端面部から前記通気層を介して空気が流入するように構成してなり，この通気層の厚さや素材を変化させることにより，前記包材の通気度や透湿度の管理を大幅に軽減し，至極容易に温度管理が可能であり，これによって，発熱体の発熱温度を高精度で管理し得る上，通気層の坪量により簡単に規格幅を変更できる包材の製造を可能にし，バラツキも少なく，低温火傷の発生がなく，安全で廉価であり，更に，長時間にわたって所定の温度を持続できるものである。該発熱体は，空気の存在によって発熱する発熱組成物を，基材と被覆材とからなる偏平状包材内に収納したものであり，上記基材と被覆材のうちその一方或いは双方における発熱組成物との接触面側に通気層を積層し，この通気層の周縁側端面部から当該通気層を介して空気が内部に流入するように構成したものである。
【０００６】
【発明が解決しようとする課題】
しかしながら，従来の美顔器は，それぞれ一長一短あり，また，十分な遠赤外線が発生していなかったり，或いは適正な超音波が発生していないのが現状であり，特に，超音波と遠赤外線とを兼ね備えたものが存在していないのが現状である。また，従来の美顔器では，ヘッドにはステンレススチールや純チタンのような金属材料が用いられており，遠赤外線発生装置で発生した遠赤外線を更に活性化したり，或いは超音波発生装置で発生した超音波を更に活性化したりする作用を持たないのが現状である。
【０００７】
美容器について，例えば，超音波と遠赤外線とを同時に発生させるため，超音波を発生させるセラミック振動子に，遠赤外線が発生させる発熱体を重ねて取り付けたとしても，一般的にはセラミックスは熱伝導性が悪く，非効率的であり，遠赤外線が発生していないのが通常であり，１つの金属ヘッドを通じて超音波と遠赤外線とを共に発生させるには如何なる構造に構成すればよいかの課題があった。
【０００８】
【課題を解決するための手段】
この発明の目的は，上記の問題を解決することであり，金属ヘッドとして酸化チタン製プレートを用い，１つの酸化チタン製ヘッドを通じて超音波と遠赤外線とを発生させ，酸化チタンを通じての適正に発生した超音波によるマッサージ効果と適正に発生した遠赤外線による温熱効果とを両方の相互作用による相乗効果によって身体に対して活性化し，血液の循環をスムースにして新陳代謝を良好にし，身体に対する安全性を考慮した美容に貢献することができる超音波及び遠赤外線を用いた美容器を提供することである。
【０００９】
上記目的を達成するためこの発明は，スイッチを有すると共に表面を露出させた金属ヘッドが取り付けられたケーシング，該ケーシング内に配置された基板，該基板に設けられた超音波を発生させる発振回路，前記基板に設けられた遠赤外線を発生させる制御回路，前記発振回路と前記制御回路とを前記スイッチの断接によって付勢するスイッチ回路，前記スイッチの断接に応じて前記スイッチ回路を通じて前記発振回路と前記制御回路に電流を流すための電源部，及び前記電源部からの前記電流を前記スイッチの断接によって前記スイッチ回路を通じて前記発振回路で発生する前記超音波と前記制御回路で発生する前記遠赤外線を制御するコントローラ，から成る超音波及び遠赤外線を用いた美容器において、
前記金属ヘッドには，前記発振回路からの電気信号によって前記超音波を発生させるトランスデューサーと熱伝達体が取り付けられ，前記熱伝達体には前記制御回路からの電気信号によって発熱する発熱素子と該発熱素子への電流を断接するため温度上昇に応じて抵抗が増大して前記発熱素子への前記電流を自己遮断制御するサーミスタとが取り付けられ、さらに前記熱伝達体は，前記金属ヘッド側の中央部を凹部に形成した環状部を備え，前記環状部が前記金属ヘッドの裏面の外周部に固着され，前記凹部に対応した領域で、前記環状部から隔てた位置に前記トランスデューサーが固着されていることを特徴とする。
【００１０】
この美容器は，前記コンセント部に接続して前記電源部に電力を供給するため電源に接続するＡＣアダプタが設けられている。
【００１１】
前記金属ヘッドは，酸化チタン製プレートによって作製されている。
【００１２】
また、前記トランスデューサーはセラミック振動子から構成されている。
【００１３】
この美容器は，前記発振回路には，前記トランスデューサーへ供給する電流を調節するダーリントン増幅回路が組み込まれている。
【００１４】
前記電源部は平滑回路に構成されている。前記平滑回路は，リプルフイルタを構成しているものである。
【００１６】
前記熱伝達体はヒートシンクで構成され，前記発熱素子はトランジスタから構成されている。
【００１８】
この美容器は，前記発振回路と前記制御回路に電流を供給する前記電源部には，予め決められた所定時間が経過すると安全のため前記電源を遮断するタイマが組み込まれている。
【００１９】
この美容器では，前記スイッチ回路を付勢するための前記スイッチは，前記超音波と前記遠赤外線とを強，中及び弱の３段階にそれぞれ発生させる切換スイッチ，前記発振回路を断接させる超音波スイッチ，及び前記制御回路を断接させる遠赤外線スイッチから構成され，前記切換スイッチ，前記超音波スイッチ及び前記遠赤外線スイッチは前記遠赤外線及び／又は前記超音波，或いはそれらの強弱の程度に応じて選択的にオン，オフされるように構成されている。更に，前記切換スイッチは，前記電源部から前記発振回路と前記制御回路への電流の供給を断接するため，少なくとも１つがそれぞれ設けられている。
【００２０】
この美容器は，上記のように構成されているので，金属ヘッドを通じて超音波及び遠赤外線が増強され，金属ヘッドを通じての適正値に発生した超音波によるマッサージ効果と適正値に発生した遠赤外線による温熱効果との相乗効果によって身体を活性化させることができ，しかも遠赤外線と超音波との強弱を使用者の操作によって顔部，腰部，肩部等の身体部分に応じて適正値に制御することができる。
【００２１】
【発明の実施の形態】
以下，図面を参照して，この発明による超音波と遠赤外線とを用いた美容器の実施例を説明する。図１はこの発明による超音波及び遠赤外線を用いた美容器の一実施例を示す概略外観図，図２は図１の美容器を示す概略断面図，図３は図１の美容器のヘッド部を示す概略断面図，図４は図１の美容器の基本システムを示すブロック図，図５は図１の美容器における遠赤外線と超音波を発生させる電気回路を示す回路図，及び図６は図５の電気回路に組み込まれた電源部を示す回路図である。
【００２２】
まず，図１，図２及び図３を参照して，この美容器の一実施例を説明する。この美容器は，コンセント部８とスイッチ９とが設けらると共に表面１４を露出させた金属ヘッド２が取り付けられたケーシング１，及びケーシング１内に支持体２８を介して配置固定された基板７を有している。ケーシング１は，合成樹脂等のプラスチック等の材料によって作製されている。金属ヘッド２は，図３に示すように，リング状のプラスチック製の接続部材３０を介してケーシング１の端部に取り付けられている。金属ヘッド２の外周部にはフランジ部３３が設けられている。接続部材３０は，一端部にその外周部にフランジ部３４が設けられ，他端部には係止部３２が設けられている。金属ヘッド２と接続部材３０とは，金属ヘッド２のフランジ部３３と接続部材３０のフランジ部３４とを当接させ，フランジ部３３とフランジ部３４とを合成ゴム等から作製された固定リング２９で抱き込むように嵌め込むことによって互いに固着される。金属ヘッド２のケーシング１への取付けは，例えば，接続部材３０の端部に設けた係止部３２をケーシング１の端部に設けた係止部３１に噛み合わせて係合することによってバヨネット式（差込み式）に固定することができる。
【００２３】
この美容器は，特に，金属ヘッド２を酸化チタン製プレートによって作製し，１つの酸化チタン製プレートを通じて超音波と遠赤外線とを同時又はいずれか１つを選択的に発生させることに特徴を有している。この美容器は，電源部６，ヘッド部回路３６，ケーシング１内に収容された超音波を発生させる発振回路３と遠赤外線を発生させるための制御回路４，及びこれらを付勢するためのケーシング１内に収容されたスイッチ回路５から構成されている。また，電源部６は，図６に示すように，平滑回路１６に構成されている。
【００２４】
この美容器は，図４，図５及び図６に示すように，基板７に設けられた発振回路３と制御回路４，発振回路３と制御回路４とをスイッチ９の断接によって付勢するための基板７に設けられたスイッチ回路５，スイッチ９の断接に応答してスイッチ回路５を通じて発振回路３と制御回路４に電流を流すための基板７に設けられた電源部６，及び電源部６からの電流をスイッチ９の断接によってスイッチ回路５を通じて発振回路３で発生する超音波と制御回路４で発生させる遠赤外線の強弱を制御するコントローラ１０から構成されている。ヘッド部回路３６は，発振回路３からの電気信号を受けて超音波を発生させるトランスデューサー１２と，制御回路４からの電気信号を受けて遠赤外線を発生させるための温熱を発生させるトランジスタから成る発熱素子１８と金属ヘッド２を所定の温度以下に自己制御するサーミスタ１９から構成されている。コントローラ１０は，電源部６の電源３９から電力，例えば，１５Ｖの電圧が印加され，電流が供給される。
【００２５】
この美容器では，発振回路３からの電気信号をトランスデューサー１２によって変換される超音波出力は，粗密波の機械的振動である。この美容器は，トランスデューサー１２を金属ヘッド２の裏面３５に固着し，金属ヘッド２を通じて機械的振動を出力するように構成されている。また，発振回路３は，例えば，２０ｋＨｚ〜３０ｋＨｚの電気信号を出力するように設定し，その電気信号をトランスデューサー１２に送り込んで超音波を発生させる。トランスデューサー１２は，特定の周波数（基本周波数）に大きく反応する性質を持っているので，使用するトランスデューサー１２と発振回路３の周波数は一致させておく必要がある。トランスデューサー１２は，セラミック振動子を使用することが一般的であるので，実施例では，セラミック振動子が使用されている。また，超音波出力は，金属ヘッド２の酸化チタンプレートを通過することによってより活性化し，マッサージ効果を促進することになる。
【００２６】
この美容器には，コンセント部８に接続して電源部６に電力を供給するため電源１３に接続するＡＣアダプタ１１が設けられている。ＡＣアダプタ１１は，電源部６に，例えば，１５Ｖの電圧を印加して電流を供給する。ＡＣアダプタ１１は，使用する国によって異なっているが，例えば，電源１３が交流１００Ｖ〜２００Ｖや周波数５０〜６０Ｈｚに対応できるように機種，或いは複数種を準備しておけば，その都度取り替えればよく，決められたものではない。電源部６は，発振回路３と，スイッチ回路５を通じて制御回路４に，例えば，１５Ｖの電圧を印加して電流を供給する。また，電源部６は，スイッチ回路５を制御するコントローラ１０に，例えば，５Ｖの電圧を印加して電流を供給する。金属ヘッド２には，発振回路３からの電気信号によって超音波を発生させるトランスデューサー１２が取り付けられている。トランスデューサー１２は，金属ヘッド２の裏面３５で発振回路３からの電気信号によって機械振動に変換して超音波を発生させるものであり，ここでは，セラミック振動子から構成されている。発振回路３には，トランスデューサー１２へ供給する電流を調節するダーリントン増幅回路１５が組み込まれている。
【００２７】
金属ヘッド２には，制御回路４からの電流によって発生した温熱を金属ヘッド２に伝達する熱伝達体１７が取り付けられている。熱伝達体１７には，制御回路４からの電気信号によって発熱する発熱素子１８と，発熱素子１８への電流を断接するため温度上昇に応じて抵抗が増大して発熱素子１８への電流を自己遮断制御するサーミスタ１９とが取り付けられている。更に，熱伝達体１７は，余剰の熱を吸収する保護部材としてのヒートシンクで構成されている。ヒートシンクには，制御回路４からの直流の電気信号が与えられるトランジスタから成る発熱素子１８が固着されている。発熱素子１８のトランジスタは，電源部６の電源３８から電力，例えば，１５Ｖの電圧が印加されて電流が供給される。
【００２８】
この美容器では，発振回路３からの電気信号によって超音波を発生させるトランスデューサー１２は，金属ヘッド２の裏面３５の中央部に固着されている。また，発熱素子１８とサーミスタ１９とが取り付けられた熱伝達体１７は，金属ヘッド２側の中央部を凹部２０に形成したリング状部即ち環状部２１を備えている。熱伝達体１７の環状部２１は，金属ヘッド２の裏面３５の外周部に固着されている。トランスデューサー１２は，凹部２０に対応し，環状部２１から隔置した領域に位置設定して金属ヘッド２の裏面３５の中央部に固着されている。従って，ヒートシンクの熱伝達体１７の環状部２１は，金属ヘッド２に対してはトランスデューサー１２に比較して大きな接触面積となる。
【００２９】
遠赤外線は，制御回路４からの電気信号によってトランジスタの発熱素子１８で発生する温熱によって出力され，金属ヘッド２を通じて身体に触れるものであるから，金属ヘッド２の温度は，皮膚に接触しても安全な温度範囲，通常，４５℃以下の温度範囲に保つ必要があるので，ヒートシンクの熱伝達体１７には，金属ヘッド２の温度が４５℃以上では電気抵抗が大きくなって電流が自己遮断されるように，正の温度係数（ＰＴＣ）を持つサーミスタ１９が取り付けられている。即ち，サーミスタ１９は，熱の発生量に比例して電気抵抗が変化する性質があるので，サーミスタ１９の電気抵抗が一定になるように，コントローラ１０によって制御回路４の直流の電気信号を制御すれば，熱の発生量を一定に制御することができる。サーミスタ１９は，電源３７から電力が供給される。
【００３０】
コントローラ１０は，電源部６からの電流が供給される発振回路３と制御回路４への電流を，予め決められた所定時間が経過すると，安全のため遮断するためのタイマ２４が組み込まれている。タイマ２４は，水晶発振器４０による信号によって予め決められた所定の時間が経過すると，ＯＦＦになるように設定されている。従って，この美容器は，長時間にわたって身体に触れるようなことがあったとしても，電源部６が遮断され，美容器による障害が発生するようなことがなく，何ら問題は発生しない。
【００３１】
この美容器には，スイッチ回路５を付勢するためのスイッチ９は，超音波と遠赤外線とを大，中及び小の３段階にそれぞれ発生させる切換スイッチ２７Ａ，２７Ｂ，２７Ｃ，２７Ｄ，２７Ｅ，２７Ｆ，発振回路３を断接させる超音波スイッチ２５，及び制御回路４を断接させる遠赤外線スイッチ２６から構成されている。切換スイッチ２７Ａ，２７Ｂ，２７Ｃ，２７Ｄ，２７Ｅ，２７Ｆは，電源部６から発振回路３と制御回路４への電流の供給を断接するため，少なくとも１つがそれぞれ設けられている。
【００３２】
この美容器のスイッチ回路５では，図５の回路に示すように，遠赤外線スイッチ２６をオンして切換スイッチ２７Ａをオンすると，最も弱い遠赤外線（例えば，消費ワット数：０．１９Ｗ）が発生し，次いで，切換スイッチ２７Ｂをオンすると，中間の遠赤外線（例えば，消費ワット数：０．４１Ｗ）が発生し，更に，切換スイッチ２７Ｃをオンすると，強い遠赤外線（例えば，消費ワット数：０．６９Ｗ）が発生するように設定されているものであり，切換スイッチ２７Ａ，２７Ｂ，２７Ｃは順次オンするものであり，加算される回路に構成されている。また，この美容器のスイッチ回路５では，図５の回路に示すように，超音波スイッチ２５をオンして切換スイッチ２７Ｄをオンすると，最も弱い超音波（例えば，消費ワット数：０．１２Ｗ）が発生し，次いで，切換スイッチ２７Ｅをオンすると，中間の超音波（例えば，消費ワット数：０．２７Ｗ）が発生し，更に，切換スイッチ２７Ｆをオンすると，強い超音波（例えば，消費ワット数：０．４９Ｗ）が発生するように設定されているものであり，切換スイッチ２７Ｄ，２７Ｅ，２７Ｆは順次オンするものであり，加算される回路に構成されている。
【００３３】
【発明の効果】
この発明による美容器は，上記のように構成されているので，使用する人によるスイッチの操作のみで，所望の適正な強さの超音波及び／又は遠赤外線を発生させ，それらの強弱を制御することができ，しかも予め決められた所定時間経過後にはタイマによって遮断されるので，身体に対する過剰な遠赤外線と超音波とが作用することなく，また，サーミスタによって自己温度制御されており，身体への安全性を考慮した有効なものである。しかも，この美容器は，皮膚に触れる部分が酸化チタン製プレートであり，皮膚のかぶれ等を起こすことがなく，適正な超音波と遠赤外線を発生させることによって，血液の循環をスムースにして新陳代謝を活性化し，不純物や老廃物を有効に取り除いて肌の角質層を滑らかにし，また，遠赤外線と超音波との相乗効果によって，身体の脂肪分の分解を促進し，筋肉強化と，特に，顔面のリフトアップ，筋肉の引きしめ効果を促進することができる。
【００３４】
この美容器によって発生する適正な遠赤外線は，肌の深部まで浸透して皮下深層の温度を上昇させ，毛細血管を拡張し，血液循環を促進して新陳代謝を強化し，自律神経の機能を調整し，細胞の活性化を促し，神経，筋肉等の機能を正常化させることができる。また，この美容器によって発生する適正な超音波は，引き締め成分を持つ化粧品を併用することによって真皮への有効な美容成分を直接浸透させることができ，脂肪分の分解を促進して腰部，肩部等の身体の筋肉を引き締め，肌の内部からの不純物や老廃物を除去し，毎秒１００万回の振動により，皮膚のたるみやしわを解消することができる。更に，この美容器の皮膚に触れる部分は酸化チタン製のヘッドであるので，超音波と遠赤外線が酸化チタンを通じて身体に作用するので，生体電流を整え，自然治癒力を増強し，血液の流れをスムースにして細胞を活性化させることができる。
【００３５】
この美容器は，上記のように，各種の作用，効能を発揮できるものであるが，眼球，頭部，心臓部等の部分への使用を避けるべきであり，各種の持病等を持つ人の使用は医者に相談すべきことは勿論であり，使用に当たっては安全に配慮されるべきであることはいうまでもない。
【図面の簡単な説明】
【図１】この発明による超音波及び遠赤外線を用いた美容器の一実施例を示す概略外観図である。
【図２】図１の美容器を示す概略断面図である。
【図３】図１の美容器のヘッド部を示す概略断面図である。
【図４】図１の美容器の基本システムを示すブロック図である。
【図５】図１の美容器における遠赤外線と超音波を発生させる電気回路を示す回路図である。
【図６】図５の電気回路に組み込まれた電源部を示す回路図である。
【符号の説明】
１    ケーシング
２    金属ヘッド
３    発振回路
４    制御回路
５    スイッチ回路
６    電源部
７    基板
８    コンセント部
９    スイッチ
１０  コントローラ
１１  ＡＣアダプタ
１２  トランスデューサー
１３  電源
１４  金属ヘッドの表面
１５  ダーリントン増幅回路
１６  平滑回路
１７  熱伝達体
１８  発熱素子
１９  サーミスタ
２０  凹部
２１  環状部
２４  タイマ
２５  超音波スイッチ
２６  遠赤外線スイッチ
２７Ａ，２７Ｂ，２７Ｃ，２７Ｄ，２７Ｅ，２７Ｆ  切換スイッチ
２８  支持体
２９  固定リング
３０  接続部材
３１  ケーシングの係止部
３２  接続部材の係止部
３３  金属ヘッドのフランジ部
３４  接続部材のフランジ部
３５  金属ヘッドの裏面
３６  ヘッド部回路
３７，３８，３９  電源
４０  水晶発振器
【図１】
0003880037.tif 000002
【図２】
0003880037.tif 000003
【図３】
0003880037.tif 000004
【図４】
0003880037.tif 000005
【図５】
0003880037.tif 000006
【図６】
0003880037.tif 000007